【手続補正書】
【提出日】平成29年10月23日(2017.10.23)
【手続補正１】
【補正対象書類名】特許請求の範囲
【補正対象項目名】全文
【補正方法】変更
【補正の内容】
【特許請求の範囲】
【請求項１】
通信チャネルを介した送信のための、第１の通信プロトコルに準拠した物理層（ＰＨＹ）データユニットを生成する方法であって、
前記第１の通信プロトコルの距離延長モードに対応する距離延長符号化スキームに従って、前記ＰＨＹデータユニットのデータフィールドに対する複数の直交周波数分割多重（ＯＦＤＭ）シンボルを生成する段階と、
前記ＰＨＹデータユニットのプリアンブルを生成する段階と、
前記プリアンブルおよび前記データフィールドを含む前記ＰＨＹデータユニットを生成する段階と備え、
前記プリアンブルは、ｉ）前記ＰＨＹデータユニットの持続時間を示す第１の部分、およびｉｉ）前記データフィールドの少なくともいくつかのＯＦＤＭシンボルが前記距離延長符号化スキームに従って生成されるか否かを示す第２の部分を含み、
前記プリアンブルの前記第１の部分は、前記プリアンブルの前記第１の部分に基づいて前記ＰＨＹデータユニットの前記持続時間を判断するべく、第２の通信プロトコルに準拠し、前記第１の通信プロトコルには準拠しないレシーバデバイスにより、前記プリアンブルの前記第１の部分がデコード可能になるようにフォーマットされる、方法。
【請求項２】
前記プリアンブルは、前記ＰＨＹデータユニットの持続時間を示すレガシ信号フィールドと、前記レガシ信号フィールドの複製とを含むよう生成される、請求項１に記載の方法。
【請求項３】
前記プリアンブルは、高効率Ｗｉ−Ｆｉ（ＨＥＷ）信号フィールドと、前記ＨＥＷ信号フィールドの反復とをさらに含むよう生成される、請求項１または２に記載の方法。
【請求項４】
前記ＨＥＷ信号フィールドと、前記ＨＥＷ信号フィールドの前記反復とは、
前記データフィールドの少なくともいくつかのＯＦＤＭシンボルが前記距離延長符号化スキームに従って生成されるかを示すようフォーマットされる、請求項３に記載の方法。
【請求項５】
前記距離延長符号化スキームに従って、前記ＰＨＹデータユニットの前記データフィールドに対する前記複数のＯＦＤＭシンボルを生成する段階は、
前方誤り訂正（ＦＥＣ）エンコーダを用いて、前記ＰＨＹデータユニットの前記データフィールドに含まれるべき複数の情報ビットをエンコードして、複数のエンコード済みビットを得る段階と、
前記複数のエンコード済みビットを複数のコンスタレーションシンボルにマッピングする段階と、
前記複数のコンスタレーションシンボルを含む前記複数のＯＦＤＭシンボルを生成する段階とを有し、
前記方法は、
ｉ）ブロック符号化スキームに従って前記複数の情報ビットをエンコードする段階と、
ｉｉ）前記ブロック符号化スキームに従って前記複数のエンコード済みビットをエンコードする段階と、
ｉｉｉ）前記ブロック符号化スキームに従って前記複数のコンスタレーションシンボルをエンコードする段階とのうち１つを実行する段階を更に備える、請求項１から４のいずれか１項に記載の方法。
【請求項６】
前記距離延長符号化スキームに従って、前記ＰＨＹデータユニットの前記データフィールドに対する前記複数のＯＦＤＭシンボルを生成する段階は、
チャネル帯域幅の第１の帯域幅部分における複数のコンスタレーションシンボルと、前記チャネル帯域幅の第２の帯域幅部分における前記複数のコンスタレーションシンボルのコピーとを含む前記複数のＯＦＤＭシンボルを前記データフィールドに対して生成する段階を有し、
前記第１の帯域幅部分および前記第２の帯域幅部分は、同一の帯域幅を有する、請求項１から５のいずれか１項に記載の方法。
【請求項７】
前記複数のＯＦＤＭシンボルを生成する段階は、予め定められた位相変位を含む前記複数のコンスタレーションシンボルの前記コピーを生成する段階を有する、請求項６に記載の方法。
【請求項８】
前記プリアンブルの前記第１の部分は、ｉ）前記第２の通信プロトコルに準拠するレガシショートトレーニングフィールドと、ｉｉ）非レガシロングトレーニングフィールドと、ｉｉｉ）前記第２の通信プロトコルに準拠するレガシ信号フィールドとを含み、
前記プリアンブルの前記第２の部分は、トレーニングフィールドを含まず、
前記方法は、
前記第２の通信プロトコルに準拠するレガシトーンプランを用いて、前記レガシショートトレーニングフィールドに対する第１の複数のコンスタレーションシンボルを生成する段階と、
非レガシトーンプランを用いて、前記非レガシロングトレーニングフィールドに対する第２の複数のコンスタレーションシンボルを生成する段階とを更に備え、
前記データフィールドに対する前記複数のＯＦＤＭシンボルを生成する段階は、前記非レガシトーンプランを用いて第３の複数のコンスタレーションシンボルを生成する段階を有する、請求項１〜７のいずれか１項に記載の方法。
【請求項９】
前記プリアンブルを生成する段階は、
前記第２の通信プロトコルに準拠するノーマルガードインターバルを用いて、レガシプリアンブルとしての前記プリアンブルの前記第１の部分に対する複数のＯＦＤＭシンボルを生成する段階と、
ロングガードインターバルを用いて、前記プリアンブルの前記第２の部分に対する複数のＯＦＤＭシンボルを生成する段階とを有する、請求項１〜８のいずれか１項に記載の方法。
【請求項１０】
前記プリアンブルの前記第２の部分に対する前記複数のＯＦＤＭシンボルを生成する段階は、
前記ノーマルガードインターバルを用いて、非レガシ信号フィールドおよび非レガシショートトレーニングフィールドに対する複数のＯＦＤＭシンボルを生成する段階と、
前記ロングガードインターバルを用いて、非レガシロングトレーニングフィールドに対する複数のＯＦＤＭシンボルを生成する段階とを有する、請求項９に記載の方法。
【請求項１１】
前記プリアンブルの前記第２の部分に対する複数のＯＦＤＭシンボルを生成する段階は、
前記ノーマルガードインターバルを用いてレガシ信号フィールドに対する複数のＯＦＤＭシンボルを生成する段階と、
前記ロングガードインターバルを用いて非レガシ信号フィールドに対する複数のＯＦＤＭシンボルを生成する段階とを有する、請求項９または１０に記載の方法。
【請求項１２】
前記プリアンブルの前記第２の部分は、前記第１の通信プロトコルに準拠する複数のレシーバデバイスによりデコード可能であり、
前記プリアンブルの前記第２の部分の前記ロングガードインターバルは、前記第１の通信プロトコルに準拠する前記複数のレシーバデバイスに、前記ＰＨＹデータユニットが前記距離延長モードに準拠することをシグナリングする、請求項９〜１１のいずれか１項に記載の方法。
【請求項１３】
前記プリアンブルの前記第２の部分に対する複数のＯＦＤＭシンボルを生成する段階は、
前記ロングガードインターバルを用いて、ｉ）非レガシ信号フィールドと、ｉｉ）前記非レガシ信号フィールドに対する第１のＯＦＤＭシンボルのコピーとに対する複数のＯＦＤＭシンボルを生成する段階を有する、請求項９〜１２のいずれか１項に記載の方法。
【請求項１４】
前記プリアンブルの前記第２の部分に対する複数のＯＦＤＭシンボルを生成する段階は、
ｉ）ダブルガードインターバルと、ｉｉ）前記データフィールドに対する第１のＯＦＤＭシンボルと、ｉｉｉ）前記第１のＯＦＤＭシンボルのコピーである前記データフィールドに対する第２のＯＦＤＭシンボルとを含む前記プリアンブルの前記第２の部分における複数のフィールドの各フィールドに対して、複数のＯＦＤＭシンボルを生成する段階を有する、請求項９〜１３のいずれか１項に記載の方法。
【請求項１５】
前記距離延長モードに従って前記ＰＨＹデータユニットの前記データフィールドに対する前記複数のＯＦＤＭシンボルを生成する段階は、第１のトーンの間隔およびロングガードインターバルを用いて、前記データフィールドに対する前記複数のＯＦＤＭシンボルを生成する段階を有し、
前記プリアンブルを生成する段階は、ｉ）前記第１のトーンの間隔とは異なる第２のトーンの間隔、およびｉｉ）標準ガードインターバルを用いて、前記プリアンブルの前記第１の部分に対する複数のＯＦＤＭシンボルを生成する段階を有する、請求項１〜１４のいずれか１項に記載の方法。
【請求項１６】
前記プリアンブルの前記第１の部分における前記第２のトーンの間隔は、ｉ）前記第２の通信プロトコルに準拠するレガシトーンの間隔であると共に、ｉｉ）前記データフィールドの前記第１のトーンの間隔の整数倍であり、
前記標準ガードインターバルは、前記第２の通信プロトコルに準拠するレガシガードインターバルである、請求項１５に記載の方法。
【請求項１７】
前記プリアンブルを生成する段階は、ｉ）前記レガシトーンの間隔および前記レガシガードインターバルを用いる少なくとも第１のＯＦＤＭシンボルと、ｉｉ）前記第１のトーンの間隔および前記ロングガードインターバルを用いる少なくとも第２のＯＦＤＭシンボルとを含む前記プリアンブルの前記第２の部分に対する複数のＯＦＤＭシンボルを生成する段階を有する、請求項１６に記載の方法。
【請求項１８】
前記プリアンブルを生成する段階は、
前記プリアンブルの前記第２の部分に対する前記複数のＯＦＤＭシンボルを生成する段階を有し、前記段階は、
前記レガシトーンの間隔および前記レガシガードインターバルを用いて、非レガシ信号フィールドおよび非レガシショートトレーニングフィールドを生成する段階と、
前記第１のトーンの間隔および前記ロングガードインターバルを用いて非レガシロングトレーニングフィールドを生成する段階とを含む、請求項１６または１７に記載の方法。
【請求項１９】
前記第１のトーンの間隔を用いて前記データフィールドに対する前記複数のＯＦＤＭシンボルを生成する段階は、
チャネル帯域幅の第１の帯域幅部分における複数のコンスタレーションシンボルと、前記チャネル帯域幅の第２の帯域幅部分における前記複数のコンスタレーションシンボルのコピーとを含む前記複数のＯＦＤＭシンボルを前記データフィールドに対して生成する段階を有し、
前記第１の帯域幅部分および前記第２の帯域幅部分は、同一の帯域幅を有する、請求項１５に記載の方法。
【請求項２０】
前記データフィールドに対する前記複数のＯＦＤＭシンボルを生成する段階は、予め定められた位相変位を含む前記複数のコンスタレーションシンボルの前記コピーを生成する段階を有する、請求項１９に記載の方法。
【請求項２１】
前記データフィールドに対する前記複数のＯＦＤＭシンボルを生成する段階は、前記第１のトーンの間隔、前記ロングガードインターバルおよびロングシンボルの持続時間を用いて、前記データフィールドに対する前記ＯＦＤＭシンボルを生成する段階を有し、
前記プリアンブルの前記第１の部分に対する前記複数のＯＦＤＭシンボルを生成する段階は、前記第２のトーンの間隔、前記標準ガードインターバルおよび標準シンボルの持続時間を用いて、前記プリアンブルの前記第１の部分に対する複数のＯＦＤＭシンボルを生成する段階を有する、請求項１５に記載の方法。
【請求項２２】
前記プリアンブルの前記第１の部分における前記第２のトーンの間隔は、ｉ）レガシトーンの間隔であると共に、ｉｉ）前記データフィールドの前記第１のトーンの間隔の整数ｎの倍であり、
前記標準ガードインターバルは、レガシガードインターバルであり、
前記ロングシンボルの持続時間は、前記標準シンボルの持続時間の整数ｎの倍である、請求項２１に記載の方法。
【請求項２３】
前記距離延長モードに従って前記ＰＨＹデータユニットの前記データフィールドに対する前記複数のＯＦＤＭシンボルを生成する段階は、
前記第２の通信プロトコルに準拠しない非レガシトーンの間隔および非レガシトーンプランを用いて、前記データフィールドに対する前記複数のＯＦＤＭシンボルを生成する段階を有し、
前記プリアンブルを生成する段階は、前記非レガシトーンの間隔とは異なる第２のトーンの間隔、および前記非レガシトーンプランとは異なるレガシトーンプランを用いて、前記プリアンブルの前記第１の部分に対する複数のＯＦＤＭシンボルを生成する段階を有する、請求項１〜２２のいずれか１項に記載の方法。
【請求項２４】
前記非レガシトーンプランは、直流トーンに近似する前記レガシトーンプランの対応するデータトーンの代わりに少なくとも１つのガードトーンを含む、請求項２３に記載の方法。
【請求項２５】
前記非レガシトーンプランは、前記非レガシトーンプランおよび前記レガシトーンプランが同一の数のデータトーンを有するように、前記レガシトーンプランの対応するガードトーンの代わりに少なくとも１つのデータトーンを含む、請求項２４に記載の方法。
【請求項２６】
物理層（ＰＨＹ）データユニットが準拠する第１の通信プロトコルの距離延長モードに対応する距離延長符号化スキームに従って、前記ＰＨＹデータユニットのデータフィールドに対する複数の直交周波数分割多重（ＯＦＤＭ）シンボルを生成し、
前記ＰＨＹデータユニットのプリアンブルを生成し、
前記プリアンブルおよび前記データフィールドを含む前記ＰＨＹデータユニットを生成する、１または複数の集積回路を有するネットワークインターフェースデバイスを備え、
前記プリアンブルは、ｉ）前記ＰＨＹデータユニットの持続時間を示す第１の部分、およびｉｉ）前記データフィールドの少なくともいくつかのＯＦＤＭシンボルが前記距離延長符号化スキームに従って生成されるか否かを示す第２の部分を含み、
前記プリアンブルの前記第１の部分は、前記プリアンブルの前記第１の部分に基づいて前記ＰＨＹデータユニットの前記持続時間を判断するべく、第２の通信プロトコルに準拠し、前記第１の通信プロトコルには準拠しないレシーバデバイスにより前記プリアンブルの前記第１の部分がデコード可能になるようにフォーマットされる、装置。
【請求項２７】
前記１または複数の集積回路は、前記ＰＨＹデータユニットの持続時間を示すレガシ信号フィールドと、前記レガシ信号フィールドの複製とを含むよう前記プリアンブルを生成する、請求項２６に記載の装置。
【請求項２８】
前記１または複数の集積回路は、高効率Ｗｉ−Ｆｉ（ＨＥＷ）信号フィールドと、前記ＨＥＷ信号フィールドの反復とをさらに含むよう前記プリアンブルを生成する、請求項２６または２７に記載の装置。
【請求項２９】
前記ＨＥＷ信号フィールドと、前記ＨＥＷ信号フィールドの前記反復とは、
前記データフィールドの少なくともいくつかのＯＦＤＭシンボルが前記距離延長符号化スキームに従って生成されるかを示すようフォーマットされる、請求項２８に記載の装置。
【請求項３０】
前記１または複数の集積回路は、
ｉ）チャネル帯域幅の第１の帯域幅部分における複数のコンスタレーションシンボルと、ｉｉ）前記チャネル帯域幅の第２の帯域幅部分における前記複数のコンスタレーションシンボルのコピーとを含む前記複数のＯＦＤＭシンボルを前記データフィールドに対して生成し、
前記第１の帯域幅部分および前記第２の帯域幅部分は、同一の帯域幅を有する、請求項２６に記載の装置。
【請求項３１】
前記データフィールドに対する前記複数のＯＦＤＭシンボルは、第１の複数のＯＦＤＭシンボルを含み、
前記１または複数の集積回路は、
ｉ）前記第１の通信プロトコルに準拠するショートトレーニングフィールドと、ｉｉ）前記ショートトレーニングフィールドの少なくとも１つのコピーとに対する第２の複数のＯＦＤＭシンボルを生成することと、
ｉ）前記第１の通信プロトコルに準拠するロングトレーニングフィールドと、ｉｉ）前記ロングトレーニングフィールドの少なくとも１つのコピーとに対する第３の複数のＯＦＤＭシンボルを生成することを含めて、前記プリアンブルの前記第２の部分を生成し、
前記第１の複数のＯＦＤＭシンボル、前記第２の複数のＯＦＤＭシンボルおよび前記第３の複数のＯＦＤＭシンボルは、前記プリアンブルの前記第１の部分に対するトーンプランとは別個の同一のトーンプランを有する、請求項３０に記載の装置。
【請求項３２】
前記１または複数の集積回路は、前記ネットワークインターフェースデバイスに、前記データフィールドと比較して、送信パワーブーストを用いて、前記プリアンブルの少なくとも前記第１の部分を送信させて、前記プリアンブルの前記第１の部分のデコード範囲を増大させる、請求項２６から３１のいずれか１項に記載の装置。
【請求項３３】
前記１または複数の集積回路は、
前記第２の通信プロトコルに従って前記プリアンブルの前記第１の部分における第１の信号フィールドを生成し、
前記第１の信号フィールドのコピーとして、前記プリアンブルの前記第２の部分における第２の信号フィールドを生成して、前記データフィールドの少なくともいくつかのＯＦＤＭシンボルが前記距離延長モードに従って生成されることを示す、請求項２６〜３２のいずれか１項に記載の装置。
【請求項３４】
前記プリアンブルの前記第１の部分は、ｉ）前記第２の通信プロトコルに準拠するレガシショートトレーニングフィールドと、ｉｉ）非レガシロングトレーニングフィールドと、ｉｉｉ）前記第２の通信プロトコルに準拠するレガシ信号フィールドとを含み、
前記プリアンブルの前記第２の部分は、トレーニングフィールドを含まず、
前記１または複数の集積回路は、
前記第２の通信プロトコルに準拠するレガシトーンプランを用いて、前記レガシショートトレーニングフィールドに対する第１の複数のコンスタレーションシンボルを生成し、
非レガシトーンプランを用いて、前記非レガシロングトレーニングフィールドに対する第２の複数のコンスタレーションシンボルを生成し、
前記データフィールドに対する前記ＯＦＤＭシンボルを生成することの一部として、前記非レガシトーンプランを用いて第３の複数のコンスタレーションシンボルを生成する、請求項２６〜３３のいずれか１項に記載の装置。
【請求項３５】
前記プリアンブルを生成することは、
前記第２の通信プロトコルに準拠するノーマルガードインターバルを用いて、レガシプリアンブルとしての前記プリアンブルの前記第１の部分に対する複数のＯＦＤＭシンボルを生成することと、
ロングガードインターバルを用いて、前記プリアンブルの前記第２の部分に対する複数のＯＦＤＭシンボルを生成することとを含む、請求項２６〜３４のいずれか１項に記載の装置。
【請求項３６】
前記１または複数の集積回路は、
第１のトーンの間隔およびロングガードインターバルを用いて、前記データフィールドに対する前記複数のＯＦＤＭシンボルを生成し、
ｉ）前記第１のトーンの間隔とは異なる第２のトーンの間隔およびｉｉ）標準ガードインターバルを用いて、前記プリアンブルの前記第１の部分に対する複数のＯＦＤＭシンボルを生成する、請求項２６〜３５のいずれか１項に記載の装置。
【請求項３７】
前記１または複数の集積回路は、
前記第２の通信プロトコルに準拠しない非レガシトーンの間隔および非レガシトーンプランを用いて、前記データフィールドに対する前記複数のＯＦＤＭシンボルを生成し、
前記非レガシトーンの間隔とは異なる第２のトーンの間隔、および前記非レガシトーンプランとは異なるレガシトーンプランを用いて、前記プリアンブルの前記第１の部分に対する複数のＯＦＤＭシンボルを生成する、請求項２６〜３６のいずれか１項に記載の装置。